(57)【要約】      （修正有）【課題】口部を下方に向けた姿勢の容器の内部の液体を、液体供給口から供給対象装置内に供給可能なように、容器と供給対象装置とを接続する容器接続具であって、口部の口径が異なる容器であっても供給対象装置側に安定的に支持させることができる容器接続具を提供する。【解決手段】容器接続具は、容器５０の筒状の口部を嵌合して挿入させることが可能な筒状に成形された装着部２と、供給対象装置８０に設けられた被挿入部８２における開放された上端側から、装着部２が挿入された場合に、該被挿入部８２の内部側に形成された流路４ａを有し、装着部２の軸方向視で該装着部２の内周面１０ａ、１０ｂ側に位置して該装着部２と共に一体的に形成された供給部４とを備え、装着部２の内周面１０ａ、１０ｂは、径が異なる複数種類の口部を挿入可能なように、口部の挿入方向の上手から下手に向かって段状に径が小さくなるように形状に成形された。【選択図】図４
0003223050.tif 000002
【実用新案登録請求の範囲】
【請求項１】
口部を下方に向けた姿勢の容器の内部の液体を、供給対象装置の液体供給口から該供給対象装置の内部に供給可能なように、前記容器と前記供給対象装置とを接続する容器接続具であって、
前記容器の筒状の口部を嵌合して挿入させることが可能なように上下方向に沿う筒状に成形された装着部と、
前記供給対象装置に設けられた凹部又は孔である被挿入部における開放された上端側から、前記装着部が挿入された場合に、該被挿入部の内部側に形成された液体供給口に前記容器内から液体を流動させる流路を有し、前記装着部の軸方向視で該装着部の内周面側に位置して該装着部と共に一体的に形成された供給部とを備え、
前記装着部の内周面は、径が異なる複数種類の口部を挿入可能なように、前記口部の挿入方向の上手から下手に向かって段状に径が小さくなるように形状に成形された
容器接続具。
【請求項２】
前記装着部の内周面における前記口部の挿入方向上手側部分には、径が小さい前記口部である第１口部を嵌合して挿入させることが可能な第１内周面が形成され、
前記装着部の内周面における前記口部の挿入方向下手側部分には、径が大きい前記口部である第２口部を嵌合して挿入させることが可能な第２内周面が形成された
請求項１に記載の容器接続具。
【請求項３】
前記第１内周面には、前記第１口部の外周面に形成された雄ネジとネジ係合する雌ネジが形成され、
前記第２内周面には、前記第２口部の外周面に形成された雄ネジとネジ係合する雌ネジが形成された
請求項２に記載の容器接続具。
【請求項４】
前記装着部を前記被挿入部内で支持するように該装着部と一体的に形成された支持部を備え、
前記支持部は、前記被挿入部の開放端側又は中途部に形成されたフラットな載置面に面状に当接するフラットな当接面を有する
請求項１乃至３の何れかに記載の容器接続具。
【請求項５】
前記支持部は、前記装着部の軸方向視で該装着部の径方向外側に位置するように該装着部よりも径が大きい上下方向の筒状に形成された挿入筒と、該挿入筒の上端側に一体的に形成されたフランジとを有し、
挿入筒は、前記装着部の上方に配置され、
前記当接面は、該フランジの下面に形成された
請求項４に記載の容器接続具。
【請求項６】
前記当接面は、平面視で環状をなす載置面に環状に当接するように、底面視で環状に成形された
請求項５に記載の容器接続具。
【請求項７】
前記挿入筒の外周の径は、被挿入部に嵌合して挿入可能な大きさに設定された
請求項５又は６の何れかに記載の容器接続具。
【請求項８】
前記流路を開閉する開閉部と、
前記装着部が前記被挿入部に挿入されることにより、前記流路を開状態とする開放手段とを備えた
請求項１乃至７の何れかに記載の容器接続具。
【請求項９】
前記供給部は前記装着部から上方に延出され、
前記開閉部は、前記供給部の開放された上端側を開閉する弾性変形可能な開閉弁であり、
前記開放手段は、前記開閉弁を前記供給部の軸方向に沿って往復移動させる開閉機構である
請求項８に記載の容器接続具。
【考案の詳細な説明】
【技術分野】
【０００１】
この考案は、口部を下方に向けた姿勢の容器の内部の液体を、供給対象装置の液体供給口から該供給対象装置の内部に供給可能なように、前記容器と前記供給対象装置とを接続する容器接続具に関する。
【背景技術】
【０００２】
従来、口部を下方に向けた姿勢のペットボトルの内部の液体を、供給対象装置の液体供給口から該供給対象装置の内部に供給可能なように、前記ペットボトルと前記供給対象装置とを接続する容器接続具であって、前記ペットボトルの筒状の口部を嵌合して挿入させることが可能なように上下方向に沿う筒状に成形された装着部と、前記供給対象装置に設けられた凹部又は孔である被挿入部における開放された上端側から、前記装着部が挿入された場合に、該被挿入部の内部側に形成された液体供給口に前記ペットボトル内から液体を流動させる流路を有し、前記装着部の軸方向視で該装着部の内周面側に位置して該装着部と共に一体的に形成された供給部とを備えた特許文献１に記載の容器接続具が公知である。
【０００３】
上記特許文献１によれば、口部を下方に向けた姿勢で前記ペットボトルを供給対象装置の上部側に安定した状態で設置し、ペットボトル内の液体を前記液体供給口に供給することができるものであるが、ペットボトルの口部に装着される装着部である弁付きキャップや、ペットボトルの上部側と当接するホルダー部１３の形状によって、供給対象装置側に設置可能なペットボトルの形状や、口部の口径が限定されるため、近年増加している通常よりも口径が大きいペットボトルを供給対象装置に設置することができない場合があるという問題があった。
【先行技術文献】
【特許文献】
【０００４】
【特許文献１】実用新案登録第３１７０１８５号公報
【考案の概要】
【考案が解決しようとする課題】
【０００５】
本考案は、口部を下方に向けた姿勢の容器の内部の液体を、液体供給口から供給対象装置内に供給可能なように、容器と供給対象装置とを接続する容器接続具であって、口部の口径が異なる容器であっても供給対象装置側に安定的に支持させることができる容器接続具を提供することを課題とする。
【課題を解決するための手段】
【０００６】
上記課題を解決するための本考案は、第１に、口部を下方に向けた姿勢の容器の内部の液体を、供給対象装置の液体供給口から該供給対象装置の内部に供給可能なように、前記容器と前記供給対象装置とを接続する容器接続具であって、前記容器の筒状の口部を嵌合して挿入させることが可能なように上下方向に沿う筒状に成形された装着部と、前記供給対象装置に設けられた凹部又は孔である被挿入部における開放された上端側から、前記装着部が挿入された場合に、該被挿入部の内部側に形成された液体供給口に前記容器内から液体を流動させる流路を有し、前記装着部の軸方向視で該装着部の内周面側に位置して該装着部と共に一体的に形成された供給部とを備え、前記装着部の内周面は、径が異なる複数種類の口部を挿入可能なように、前記口部の挿入方向の上手から下手に向かって段状に径が小さくなるように形状に成形されたことを特徴としている。
【０００７】
第２に、前記装着部の内周面における前記口部の挿入方向上手側部分には、径が小さい前記口部である第１口部を嵌合して挿入させることが可能な第１内周面が形成され、前記装着部の内周面における前記口部の挿入方向下手側部分には、径が大きい前記口部である第２口部を嵌合して挿入させることが可能な第２内周面が形成されたことを特徴としている。
【０００８】
第３に、前記第１内周面には、前記第１口部の外周面に形成された雄ネジとネジ係合する雌ネジが形成され、前記第２内周面には、前記第２口部の外周面に形成された雄ネジとネジ係合する雌ネジが形成されたことを特徴としている。
【０００９】
第４に、前記装着部を前記被挿入部内で支持するように該装着部と一体的に形成された支持部を備え、前記支持部は、前記被挿入部の開放端側又は中途部に形成されたフラットな載置面に面状に当接するフラットな当接面を有することを特徴としている。
【００１０】
第５に、前記支持部は、前記装着部の軸方向視で該装着部の径方向外側に位置するように該装着部よりも径が大きい上下方向の筒状に形成された挿入筒と、該挿入筒の上端側に一体的に形成されたフランジとを有し、挿入筒は、前記装着部の上方に配置され、前記当接面は、該フランジの下面に形成されたことを特徴としている。
【００１１】
第６に、前記当接面は、平面視で環状をなす載置面に環状に当接するように、底面視で環状に成形されたことを特徴としている。
【００１２】
第７に、前記挿入筒の外周の径は、被挿入部に嵌合して挿入可能な大きさに設定されたことを特徴としている。
【００１３】
第８に、前記流路を開閉する開閉部と、前記装着部が前記被挿入部に挿入されることにより、前記流路を開状態とする開放手段とを備えたことを特徴としている。
【００１４】
第９に、前記供給部は前記装着部から上方に延出され、前記開閉部は、前記供給部の開放された上端側を開閉する弾性変形可能な開閉弁であり、前記開放手段は、前記開閉弁を前記供給部の軸方向に沿って往復移動させる開閉機構である
ことを特徴としている。
【考案の効果】
【００１５】
前記装着部の内周面側を、径が異なる複数種類の口部を挿入可能なように、前記口部の挿入方向の上手側から下手側に向かって段状に径が小さくなるように成形したことにより、容器の口部の径が異なる場合であっても、前記容器接続具を交換することなく、容器を前記供給対象装置側に設置することができるため、より汎用性が高くなる。
【００１６】
また、前記装着部を前記挿入部内で支持するように該装着部と一体的に形成された支持部を備え、前記支持部は、前記挿入部の開放端側又は中途部に形成されたフラットな載置面に面状に当接するフラットな当接面を有するものによれば、前記容器の形状によらず、前記容器が装着された前記装着部をより安定した状態で前記供給対象装置側に支持させることができる。
【００１７】
また、前記当接面は、平面視で環状をなす載置面に環状に当接するように、底面視で環状に成形されたものによれば、前記当接面と前記供給対象装置側とが前記液体供給口の周りを囲うように環状に面接触するため、前記供給対象装置内に埃等が混入することを効率的に防止することができる。
【図面の簡単な説明】
【００１８】
【図１】（Ａ）及び（Ｂ）は、本考案を適用した容器接続具を示した側面図と平面図である。
【図２】第１口部にペットボトルをネジ係合した状態を示す要部側断面図である。
【図３】第２口部にペットボトルをネジ係合した状態を示す要部側断面図である。
【図４】容器接続具によってウォータサーバとペットボトルとを接続した状態を示す要部側断面図である。
【考案を実施するための形態】
【００１９】
図１（Ａ）及び（Ｂ）は、本考案を適用した容器接続具を示した側面図と平面図であり、図２及び図３は、第１口部又は第２口部にペットボトルをネジ係合した状態を示す要部側断面図であり、図４は、容器接続具によってウォータサーバとペットボトルとを接続した状態を示す要部側断面図である。容器接続具１は、ペットボトル（容器）５０を、水（液体）の供給対象となるウォータサーバ（供給対象装置）８０側に接続させることにより、該ペットボトル５０内の水をウォータサーバ内に供給することを可能にさせる。
【００２０】
前記ペットボトル５０は、両端が開放された筒状の口部５１を一体的に有し、この口部５１の外周面側には図示しない雄ネジが形成されている。この口部５１には、通常、内周面側に雌ネジが形成された図示しないキャップがネジ係合されて外装されているが、上述した容器接続具１は、このキャップの代わりに、後述する筒状の装着部２を該口部５１の外周面側に着脱可能に装着させる。
【００２１】
また、該ペットボトル５０には、前記口部５１の外周面側にフランジ状に突出するサポートリング５２が一体形成されている（図１乃至３参照）。これにより、前記キャップをペットボトルの口部５１から最初に取外した際に、該キャップの開放端側の一部が前記サポートリング５２と前記雌ネジとの間にリング状に残るように構成されている（図示しない）。
【００２２】
ちなみに、このペットボトル５０は、前記口部５１を下側（具体的には真下）に向けた姿勢で、ウォータサーバ８０の上面側に設置された接続カバー８１に接続して支持され、この口部５１から容器接続具１（及び接続カバー８１）を介して、ウォータサーバ８０に水が供給される（図４等参照）。
【００２３】
前記接続カバー８１は、中央上面側が開放され且つ上下方向の延びる凹部又は孔（図示する例では凹部）から構成された被装着部８２と、該被装着部８２の内部の中心に配置され上下方向に延びる突起部８３と、前記被装着部８２の外周側に環状に形成されたフラットな支持面である載置面８４と、該載置面８４から周方向外側に向かって上方傾斜する環状の案内面８６とを有し、側断面視漏斗状に成形されている。（図４参照）。
【００２４】
上記被装着部８２は、前記凹部が平面視で環状に形成され、前記ペットボトル５０の口径５１及び、該口径５１回りに形成されている前記サポートリング５２よりも径が大きくなるように形成されることにより、前記ペットボトル５０の口部５１側が挿入可能に構成されている。また、該凹部は、前記ペットボトル５０の口部５１の長さよりも深くなるように凹設されている。
【００２５】
上記突起部８３は、図４に示されるように、被装着部８２の底面の中心から真上に向かって一体的に突出する円筒状に成形されている。該突起部の下端側は、ウォータサーバの内部に設置された図示しないタンクや該内部に形成された水の流路経路に向かって開放され、その上端側は閉塞されている。また、該突起部８３の上端側は、後述する開閉弁の一端側と面接触する当接部８３ａが成形されている。
【００２６】
また、該突起部８３の周壁には、該突起部８３の内外を連通させる給水口（液体供給口）８３ｂが開口形成されている。該給水口８３ｂは、突起部８３の軸芯に対して対称な位置にそれぞれ形成され、この一対の給水口８３ｂ，８３ｂは、それぞれ突起部８３の当接部８３ａの位置から該突起部８３の上下方向中途部に至る範囲に形成されている。
【００２７】
上記載置面８４は、平面視で前記被装着部８２の外周面側にフランジ状に突出形成されたフラットな面であって、後述する前記ペットボトル５０が接続された前記容器接続具１が載置（支持）されるように構成されている（図４参照）。該載置面８４は、平面視で前記被装着部８２を囲うように環状に形成されている。詳しくは後述する。
【００２８】
上記案内面８６は、前記載置面８４から外周外側に向かって上方傾斜するように形成された傾斜面であって、前記載置面８４の外周面側に平面視で環状に形成されている。
【００２９】
該構成の案内面８６によれば、前記ペットボトル５０が装着された前記容器接続具１を前記被装着部８２側に設置（挿入）するにあたり、該案内面８６に前記容器接続具１や前記ペットボトル５０の頭部側が接触等することによって、前記容器接続具１が前記被装着部８２側に自動的にガイド（案内）される。このため、ウォータサーバ側に上下逆さまにしたペットボトルの接続（設置）作業をよりスムーズ且つ簡易に行うことができるようになる。
【００３０】
なお、該案内面８６は、前記接続カバー８１を介して上下逆さまな状態で接続されたペットボトルの上部側と当接して、設置されたペットボトル５０をより安定した状態で保持するように構成しても良い。
【００３１】
ちなみに、前記載置面８４の外周縁側と、前記案内面８６の内周縁側との境界には、内側の前記支持面から外側の前記案内面側に向かって一段高くなる段差部８８が形成されている。（図４参照）。該構成の段差部８８によれば、前記接続カバー８１側に設置される前記容器接続具１の位置決めを容易且つ確実に行うことができる。
【００３２】
次に、図１乃至４に基づいて、前記容器接続具の具体的な構成について説明する。
【００３３】
前記容器接続具１は、図示するように、前記ペットボトル５０の口部５１に外装可能なように筒状に成形された装着部２と、ウォータサーバの上端側に設置された前記接続カバー８１側に支持される支持部３と、前記装着部２が前記支持部３によってウォータサーバ側に支持された場合に、ペットボトル５０内部から前記給水口８３ｂに液体を流動させる流路４ａを有し、該装着部２の軸方向視で該装着部の内周面側に位置して該装着部２と共に一体的に形成された供給部４とを有し、合成樹脂等の材料によって一体成形されている本体１ａを含む（図１等参照）。
【００３４】
また、該容器接続具１は、前記本体１ａの他、前記流路４ａを開閉する開閉弁６（開閉部）と、前記装着部２を支持部３によって前記接続カバー８１（載置面８４）側に支持させることによって前記流路４ａを開状態に切換えるとともに容器接続具１を前記接続カバー８１側から取外すことによって前記流路４ａを閉状態に切換える開閉機構７とを備えている。
【００３５】
前記装着部２は、有底の筒状に成形され、その内周面側には、前記口部５１側の雄ネジとネジ係合する雌ネジ部１０が螺旋状に形成されている。この雌ネジ部１０と前記雄ネジをネジ係合させて締付けることにより、この装着部２が前記ペットボトル５０の口部５１の外周面に着脱可能に装着（螺合）される。
【００３６】
該雌ネジ部１０は、図示されるように、開放端側から底部に向かって径が小さくなるように段状に形成されており、前記ペットボトル５０の口部５１の径が異なる場合であっても、螺合可能に構成されている。具体的に説明すると、前記装着部２内周面の底側に通常の口径（具体的には、外径２８ｍｍ）のペットボトルがネジ係合される第１雌ネジ部（第１内周面）１０ａが形成され（図３参照）、該第１雌ネジ部１０ａの開放端側に通常よりも径の大きい口径（具体的には、外径３０ｍｍ程度）のペットボトル５０がネジ係合される第２雌ネジ部（第２内周面）１０ｂが形成されている（図２参照）。
【００３７】
該構成によれば、ウォータサーバ側に設置するペットボトルの口部５１の径が異なる場合であっても、径毎に専用の前記容器接続具１を用意することなく、該口部５１に同じ容器接続具１を装着し、該ペットボトル５０を前記接続カバー８１側に設置することができるため、より汎用性が高くなる。なお、該装着部２内に段状に形成される各雌ネジ部は、底部に向かって径が小さくなる段を２段以上設けた構成としても良い。
【００３８】
ちなみに、該装着部２は、ペットボトル５０のキャップと同様に、合成樹脂等の材料によってペットボトル本体と比較して硬くなるように成形されている。これにより、前記装着部２をペットボトル５０の口部５１にネジ係合させた際に、該装着部２と口部５１とがより密着し易くなる。
【００３９】
前記支持部３は、前記容器接続具１がペットボトル５０の口部５１に取付けられた場合に、前記ペットボトル５０のサポートリング回りを収容する筒状に形成された筒状部３ａと、該筒状部３ａの開放端側から外周方向に向かってフランジ状に突設されて平面視で環状に形成された支持面（当接面）３ｂとを備え、側面視断面視でクランク状に形成されている（図４参照）。
【００４０】
上記筒状部３ａは、前記容器接続具１（装着部２）が前記接続カバー８１の前記被装着部内８２内に挿入された際に、該筒状部３ａの外周面側が前記被装着部８２の内周面側に嵌合するよう構成されており、ペットボトル５０が装着された前記容器接続具１を、より安定した状態で接続カバー８１側に支持することができる。
【００４１】
上記支持面３ｂは、前記筒状部３ａの開放端側から外方向に延設された平面視で環状に形成された板状部であって、前記容器接続具１を前記接続カバー８１側に接続した場合に、該支持面３ｂの全体が前記載置面８４上に当接するように構成されている。
【００４２】
該構成によれば、前記ペットボトル５０の口部５１側に取付けられた前記容器接続具１を、前記ウォータサーバ側の前記接続カバー８１側に接続した場合に、前記支持面３ｂと前記載置面８４との当接面が平面視で前記被装着部を囲う環状となり、該被装着部８２回りを閉じることができる。これにより、前記ウォータサーバ側に水が供給する前記被装着部８２側に、空気中の埃等がウォータサーバ側の流路上に落下することを略確実に防止することができる。
【００４３】
前記供給部４は、前記装着部２よりも径が小さく且つ該装着部と同一軸芯となる筒状に成形され、該装着部を上下に貫通するように該装着部２から上下両端に延設されている。この供給部４の内周面側の空間が前記流路４ａとなり、その両端側が開放されている。そして、ペットボトルの口部５１外周面側の雄ネジと、前記装着部２内周面側の雌ネジ部10
とをネジ係合させた場合には、前記供給部４の一端側がペットボトル５０内に位置した状態となるように構成されている（図２及び図３等参照）。
【００４４】
また、供給部４は、その流路４ａ内に下方側から前記突起部８３を嵌合して挿入可能なように、その内周面が上方に向かって次第に径が若干縮小するテーパ形状に成形され、これに対応して、その外周面も上方に向かって次第に径が縮小する形状に成形されている。突起部８３が供給部４の内周面に嵌合して挿入された時、給水口８３ａは流路４ａ内の臨み、該流路４ａから前記給水口８３ａを介して突起部８２の内周面側に水を供給可能になる。
【００４５】
前記開閉弁６は、シリコンや合成樹脂製の材料から構成されて弾性変更可能である。この開閉弁６は、円筒状に成形された筒状部６ａと、筒状部６の軸方向の一端部に円形フランジ状に形成され且つ供給部４の上端側の開放部分を閉塞可能な本体６ｂとを一体に有している。この開閉弁６が前記開閉機構７によって供給部４の軸方向に往復移動される。開閉弁６は、前記往復作動によって、供給部４（流路４ａ）の開放された上端側を開閉させる。
【００４６】
前記開閉機構７は、前記供給部の軸心上に一直線上に延びる円柱状に形成された作動軸９と、前記供給部４よりも径が小さい筒状に形成され且つ該供給部４と同一軸心となるように流路４ａ内に配置された支持筒１１と、該支持筒１１の外周面から径方向外側に放射状に延出されて供給部と支持筒とを連接させることによって該支持部１１を流路４ａ上に固定支持する複数の連接固定部１２とを有している。
【００４７】
該支持筒１１及び複数の連接固定部１２は供給部４と共に一体形成され、複数の連接固定部１２は支持筒１１の周方向に等間隔に満遍なく並べて配置され、支持筒１１の内周面側には、作動軸９の内周面が自身の軸方向にスライド可能に嵌合挿入して支持される。
【００４８】
上記作動軸９は、その下端部に円形フランジ状に係止部９ａが一体的に形成され、その上部には、周方向全体に形成された取付溝（図示しない）が形成されており、該取付溝に前記開閉弁６が装着されている。
【００４９】
該作動軸９の外周面における係止部９ａと支持筒１１との間の箇所には、圧縮スプリング１３が装着されている。この圧縮スプリング１３は、前記開閉弁６が供給部４の上端面に当接して流路４ａが閉状態に切換えられるように、該作動軸９を下方に弾性付勢している。この圧縮スプリング１３の弾性力に抗して、作動軸９を上方に変位させた場合、前記開閉弁６が供給部４の開放された上端側から離間し、流路４ａが開状態に切換えられる（図２乃至４参照）。
【００５０】
以下、上述の容器接続具の使用手順について説明する。まず、ペットボトルの口部を上に向けた姿勢でペットボトルの該口部からキャップを取外し、該口部に容器接続具の装着部を着脱可能に外装させる。
【００５１】
続いて、口部５１を下に向けた姿勢のペットボトル５０の該口部５１に装着された容器接続具１の前記装着部２及び前記支持部３を、前記ウォータサーバ８０側に取付けられた前記接続カバー８１の凹部である前記被装着部８２に挿入する。このとき、前記支持部３の筒状部３ａが前記被装着部８２側に嵌合するとともに、前記支持部３の支持面（当接面）３ｂが前記載置面８４上に載置（当接）することによって、前記ペットボトル５０が逆さまの状態で前記接続カバー８１側に取付支持される。これにより、前記接続カバー８１側の突起部８３が前記供給部４の内周面側の流路４ａに嵌合して挿入されることによって前記開閉弁６が開作動し、該流路４ａが開状態に切換えられる（図４参照）。
【００５２】
この状態では、ペットボトル５０の内部の水が、供給部４の開放された上端側から前記流路４ａに流入し、給水口８３ｂを経て前記突起部８３の内部に流動し、突起部８３の開放された下端側からウォータサーバ８０の内部に導入される。この際、突起部８３の周面と、供給部４の内周面とが環状に当接することによって、流路４ａにおける前記当接部８３ａよりも上方側に流入した水が供給部の開放された下端側から被装着部の底面側に漏れ出ることを効率的に防止できる。
【００５３】
一方、容器接続具１の装着部２が装着されたペットボトル５０を、前記接続カバー８１の被装着部８２から引き抜くと、突起部８３が供給部４の内周面側から引き抜かれるため、前記開閉弁６が閉作動し、該流路４ａが閉状態に切換えられる。
【００５４】
以上のように構成される容器接続具によれば、ペットボトル等の様々な形状の容器を、ウォータサーバ等の供給対象装置に接続して装着させることが可能になる。また、上述の容器接続具によれば、該容器の口部の径が異なっている場合であっても、同一の容器接続具で接続可能であるため汎用性が高く、ペットボトルの口径に応じて容器接続具を作り直す必要がないためコストも低く抑えることができる。
【符号の説明】
【００５５】
１      容器接続具
２      装着部
３      支持部
３ａ    筒状部（挿入筒）
３ｂ    支持面（当接面、フランジ）
４      供給部
４ａ    流路
６      開閉弁（開閉部）
７      開閉機構（開放手段）
１０ａ    第１雌ネジ部（第１内周面）
１０ｂ    第２雌ネジ部（第２内周面）
５１      口部
５０      ペットボトル（容器）
８０      ウォータサーバ（供給対象装置）
８２      被装着部（被挿入部）
８３ｂ    供給口（液体供給口）
８４      載置面
【図１】
0003223050.tif 000003
【図２】
0003223050.tif 000004
【図３】
0003223050.tif 000005
【図４】
0003223050.tif 000006